(57)【特許請求の範囲】
【請求項１】
基地局装置から送信されたページングインジケータチャネルに基づいて、自局の属するグループへの呼び出しがある場合に、該ページングインジケータチャネルに対する応答であることを示す情報を含むランダムアクセスチャネルを生成するランダムアクセスチャネル生成手段；
前記ランダムアクセスチャネルを送信する送信手段；
を備え、
前記基地局装置により前記ランダムアクセスチャネルが検出されるかどうかに基づいて、ページング情報を生成するかどうかが判断され、さらに、前記基地局装置により、該判断結果に基づいて、ページング情報が生成されることを特徴とする移動局装置。
【請求項２】
請求項１に記載の移動局装置において：
前記ランダムアクセスチャネル生成手段は、下りリンクの受信品質情報を含むランダムアクセスチャネルを生成することを特徴とする移動局装置。
【請求項３】
ページングインジケータチャネルを送信し、自局の属するグループへの呼び出しがある移動局装置は、該ページングインジケータチャネルに対する応答であることを示す情報を、ランダムアクセスチャネルにより送信し、
前記ページングインジケータチャネルに対する応答であるランダムアクセスチャネルを検出するランダムアクセスチャネル検出手段；
前記ランダムアクセスチャネルの検出結果に基づいて、ページング情報を生成するか否かを判断するページング情報生成判断手段；
前記判断結果に基づいて、ページング情報を生成するページング情報生成手段；
を備えることを特徴とする基地局装置。
【請求項４】
請求項３に記載の基地局装置において：
前記ページング情報生成手段は、待ち受け状態から、通信状態に移行するために必要な制御情報の送信帯域、送信タイミング情報を受信するためのＬ１／Ｌ２制御チャネルの受信帯域および受信開始タイミングを示す情報を生成することを特徴とする基地局装置。
【請求項５】
請求項３に記載の基地局装置において；
ページングチャネルの送信帯域および送信タイミング指定する制御チャネルの送信周波数帯域および送信タイミングを示す情報を含むページングインジケータを生成するページングインジケータ生成手段；
前記ページングインジケータをページングインジケータチャネルに多重し、送信する送信手段；
を備えることを特徴とする基地局装置。
【請求項６】
請求項５に記載の基地局装置において：
前記ページングインジケータ生成手段は、前記制御チャネルの送信タイミングとして、ページングインジケータチャネルとのタイミング差に関する情報を生成することを特徴とする基地局装置。
【請求項７】
請求項５に記載の基地局装置において：
前記ページングインジケータ生成手段は、ページングインジケータチャネルに対する応答のためのランダムアクセスチャネルの送信タイミングを示す情報を生成することを特徴とする基地局装置。
【請求項８】
請求項７に記載の基地局装置において：
ページングインジケータチャネルにより通知される呼び出しグループが、複数のサブグループに分けられ、
前記ページングインジケータ生成手段は、ページングインジケータチャネルに対する応答のためのランダムアクセスチャネルの送信タイミングを、前記サブグループ間で異なるように指定することを特徴とする基地局装置。
【請求項９】
移動局装置が、基地局装置から送信されたページングインジケータチャネルに基づいて、自局の属するグループへの呼び出しがある場合に、該ページングインジケータチャネルに対する応答であることを示す情報を含むランダムアクセスチャネルを生成するランダムアクセスチャネル生成ステップ；
移動局装置が、前記ランダムアクセスチャネルを送信する送信ステップ；
基地局装置が、前記ページングインジケータチャネルに対する応答であるランダムアクセスチャネルを検出するランダムアクセスチャネル検出ステップ；
基地局装置が、前記ランダムアクセスチャネルの検出結果に基づいて、ページング情報を生成するか否かを判断するページング情報生成判断ステップ；
基地局装置が、前記判断結果に基づいて、ページング情報を生成するページング情報生成ステップ；
を有することを特徴とするページング方法。
【発明の詳細な説明】
【技術分野】
【０００１】
本発明は、移動局装置および基地局装置並びにページング方法に関する。
【背景技術】
【０００２】
移動体通信では端末に対して着信があった場合、その旨を端末に通知する必要がある。ネットワークは端末の位置情報を位置登録エリアで管理しており、位置登録エリアごとにＬＡＩ（Ｌｏｃａｔｉｏｎ  Ａｒｅａ  Ｉｄｅｎｔｉｆｉｅｒ）が割り当てられている。ネットワークでは端末が位置登録している位置登録エリア内の全端末に対して着信があったことを同報的に通知する。この手順をページングと呼ぶ（例えば、非特許文献１参照）。
【０００３】
Ｗ−ＣＤＭＡにおけるページング情報の受信手順について、図１を参照して説明する。
【０００４】
基地局は、ページングインジケータチャネル（ＰＩＣＨ：  Ｐａｇｉｎｇ  Ｉｎｄｉｃａｔｏｒ  Ｃｈａｎｎｅｌ）を送信する（ステップＳ２）。
【０００５】
次に、基地局は、ＰＣＨ（Ｐａｇｉｎｇ  Ｃｈａｎｎｅｌ）を送信する（ステップＳ４）。ＰＩＣＨを受信した移動局は、自局の属する呼び出しグループに着信がある場合に、基地局から送信されたＰＣＨを受信する。
【０００６】
次に、ＰＣＨを受信した移動局は、自局に着信がある場合に、ＲＡＣＨ（ＰＣＨに対する応答）を送信する（ステップＳ６）。すなわち、呼び出し対象の移動局は、ページング情報を受信した後で、はじめて、ランダムアクセスにより、ページングに対する応答を行う。
【０００７】
基地局は、移動局からＰＣＨに対する応答を受けた場合、無線回線設定に必要な情報を、該呼び出し対象の移動局に通知する（ステップＳ８）。
【０００８】
呼び出し対象の移動局は、受信した無線回線の設定に必要な情報に基づいて、無線回線の設定手順を開始する。また、呼び出し対象の移動局は、この通知に対するＡＣＫを返す（ステップＳ１０）。その後、通信が開始される（ステップＳ１２）。
【０００９】
このような移動体通信では、図２に示すように、同一ページングエリア、すなわち呼び出しエリアに属する全セルにおいて、ページング情報を一斉に送信する。すなわち、同一ページングエリアに属する全セルは、セル配下のエリアに呼び出し対象の移動局が存在するか否かに関わらず、ページング情報を、ＰＣＨを用いて送信する。
【００１０】
このような移動体通信では、移動局は、以下の方法によりＰＣＨに関わる消費電力を削減している。
【００１１】
ＰＣＨにおけるページング情報の送信の方法として、基地局は、図３に示すように、移動局を複数の呼び出しグループに分け、ページング情報をグループ毎に時間多重して送信する。
【００１２】
移動局は、自局の属するグループに対するページング情報が送信されるタイミングのみ受信を行うことにより、消費電力を節約できる。
【００１３】
さらに、グループ毎に、ページング情報が存在するかどうかを示す、ページングインジケータチャネルを独立に設けることにより、各移動局は、予めごく短い時間のみページングインジケータチャネルを受信することで、自局が属するグループに呼び出し情報が存在するか否かを知ることができるので、不要なＰＣＨの受信を省略できる。
【非特許文献１】立川敬二、「Ｗ−ＣＤＭＡ移動通信方式」、丸善株式会社、ｐｐ．２５５−２５６
【発明の開示】
【発明が解決しようとする課題】
【００１４】
しかしながら、上述した背景技術には以下の問題がある。
【００１５】
ページングエリア内の基地局は、該ページングエリア内に発生した全てのページング情報を、呼び出し対象の移動局がセル配下に存在するか否かにかかわらず送信する必要がある。このため、呼び出し対象の移動局がセル配下に存在しない基地局は、下りリンクの無線リソースを無駄に消費してしまう問題がある。
【００１６】
また、同一のグループの複数の移動局が同一のセルにおいて待受け中であった場合、ＰＩＣＨに対する応答のランダムアクセスが衝突してしまう確率が増大する問題がある。
【００１７】
そこで本発明は、上述した問題点の少なくとも１つを解決するためになされたものであり、その目的は、不必要なページング情報の送信を回避することができる移動局装置および基地局装置並びにページング方法を提供することにある。
【課題を解決するための手段】
【００１８】
上記課題を解決するため、本発明の移動局装置は、
基地局装置から送信されたページングインジケータチャネルに基づいて、自局の属するグループへの呼び出しがある場合に、該ページングインジケータチャネルに対する応答であることを示す情報を含むランダムアクセスチャネルを生成するランダムアクセスチャネル生成手段；
前記ランダムアクセスチャネルを送信する送信手段；
を備え、
前記基地局装置により前記ランダムアクセスチャネルが検出されるかどうかに基づいて、ページング情報を生成するかどうかが判断され、さらに、前記基地局装置により、該判断結果に基づいて、ページング情報が生成されることを特徴の１つとする。
【００１９】
このように構成することにより、移動局装置は、自局が含まれるグループに対して呼び出しが行われていることを、在圏するエリアをカバーする基地局装置に通知することができる。
【００２２】
また、本発明の基地局装置は、
ページングインジケータチャネルを送信し、自局の属するグループへの呼び出しがある移動局装置は、該ページングインジケータチャネルに対する応答であることを示す情報を、ランダムアクセスチャネルにより送信し、
前記ページングインジケータチャネルに対する応答であるランダムアクセスチャネルを検出するランダムアクセスチャネル検出手段；
前記ランダムアクセスチャネルの検出結果に基づいて、ページング情報を生成するか否かを判断するページング情報生成判断手段；
前記判断結果に基づいて、ページング情報を生成するページング情報生成手段；
を備えることを特徴の１つとする。
【００２３】
このように構成することにより、ページングインジケータチャネルに対する応答であるランダムアクセスチャネルを受信した場合にのみ、ページング情報を送信する。
【００２４】
本発明のページング方法は、
移動局装置が、基地局装置から送信されたページングインジケータチャネルに基づいて、自局の属するグループへの呼び出しがある場合に、該ページングインジケータチャネルに対する応答であることを示す情報を含むランダムアクセスチャネルを生成するランダムアクセスチャネル生成ステップ；
移動局装置が、前記ランダムアクセスチャネルを送信する送信ステップ；
基地局装置が、前記ページングインジケータチャネルに対する応答であるランダムアクセスチャネルを検出するランダムアクセスチャネル検出ステップ；
基地局装置が、前記ランダムアクセスチャネルの検出結果に基づいて、ページング情報を生成するか否かを判断するページング情報生成判断ステップ；
基地局装置が、前記判断結果に基づいて、ページング情報を生成するページング情報生成ステップ；
を有することを特徴の１つとする。
【００２５】
このようにすることにより、ページングインジケータチャネルに対する応答であるランダムアクセスチャネルを受信した場合にのみ、ページング情報を送信する。
【発明の効果】
【００２６】
本発明の実施例によれば、不必要なページング情報の送信を回避することができる移動局装置および基地局装置並びにページング方法を実現できる。
【発明を実施するための最良の形態】
【００２７】
次に、本発明の実施例について図面を参照して説明する。
なお、実施例を説明するための全図において、同一機能を有するものは同一符号を用い、繰り返しの説明は省略する。
【００２８】
本発明の実施例にかかる移動通信システムについて、図４を参照して説明する。
【００２９】
本実施例にかかる移動通信システムは、基地局装置１００（１００１、１００２、１００３、１００４、１００５、１００６、１００７）と、移動局装置２００（２００１、２００２）とを備える。予め決められた複数の基地局装置のカバーするエリアにより呼び出しエリアが構成される。本実施例においては、基地局装置１００１、１００２、１００３、１００４、１００５、１００６および１００７の７基の基地局装置によりカバーされるエリアを、呼び出しエリアとする場合について説明する。
【００３０】
本実施例にかかる移動通信システムでは、図５に示すように、同一ページングエリア、すなわち呼び出しにエリアに属する全セルにおいてＰＩＣＨを一斉に送信し、ＰＩＣＨに対する応答があったセルにおいてのみ、ＰＣＨの送信を行う。
【００３１】
ＰＩＣＨを受信することにより、自局の属するグループに呼び出しがあると認識した移動局装置は、ランダムアクセスにより応答、すなわちＰＩＣＨに対する応答であることを示す情報を送信する。
【００３２】
ＰＩＣＨに対する応答のあったセルの基地局装置は、ページング情報を、ＰＣＨを用いて送信する。図５に示す例では、グループｎ、ｎ＋１、ｎ＋２に対するＰＩＣＨが送信され、グループｎ＋１に属する移動局装置は、自局の属するグループに呼び出しがあることを認識し、ＲＡＣＨを送信する。グループｎ＋１に属する移動局装置からＲＡＣＨを受信した基地局装置は、グループｎ＋１に対するページング情報を、ＰＣＨを用いて送信する。
【００３３】
ＰＣＨを受信した結果、呼び出し対象であった移動局装置は、ランダムアクセスにより応答、すなわちＰＣＨに対する応答であることを示す情報を送信する。ＰＣＨに対する応答のあった基地局装置は、無線回線を設定するために必要な情報を送信する。
【００３４】
呼び出し対象であった移動局装置は、無線回線を設定するために必要な情報を受信し、受信した情報に基づいて、無線回線の設定手順を開始する。
【００３５】
本実施例にかかる基地局装置１００について、図６を参照して説明する。
【００３６】
基地局装置１００は、ＰＩＣＨ／ＰＣＨ信号生成器１０２と、送信信号生成部１０４と、ＲＡＣＨ検出部１０６と、送受信部１０８とを備える。
【００３７】
ＰＩＣＨ／ＰＣＨ信号生成器１０２は、ページングインジケータ生成部１１０と、チャネル符号化器１１２および１１８と、変調部１１４および１２０と、ページング情報生成部１１６と、ページング情報生成制御部１２２とを備える。
【００３８】
ページングインジケータ生成部１１０は、移動局装置２００に対して着信の有無を通知するためにページングインジケータを生成する。例えば、ページングインジケータ生成部１１０は、呼び出し対象のグループＩＤを指定する情報を生成する。また、ページングインジケータ生成部１１０は、呼び出し対象のグループＩＤを指定する情報以外に、ＰＣＨの送信帯域および送信タイミングを指定する制御チャネルに関する情報を生成するようにしてもよい。ＰＣＨの送信帯域および送信タイミングを指定する制御チャネルに関する情報とは、図７に示すように、呼び出し対象グループのＰＣＨに対する無線リソース割当て情報を通知する制御チャネルのマッピングに関する情報、すなわち送信周波数帯域および送信タイミング、例えばＰＩＣＨとのタイミング差に関する情報である。
【００３９】
また、ページングインジケータ生成部１１０は、呼び出し対象のグループＩＤを指定する情報以外に、ＲＡＣＨ、すなわち、ＰＩＣＨに対する応答のためのＲＡＣＨの送信タイミングを示す情報を生成するようにしてもよい。ＰＩＣＨに対する応答のためのＲＡＣＨの送信タイミングを示す情報とは、図８に示すように、移動局装置がＰＩＣＨを受信してから、該ＰＩＣＨに対する応答のためのＲＡＣＨを送信するためのタイミング差を示す情報である。
【００４０】
このページングインジケータは、チャネル符号化器１１２において符号化され、変調部１１４において変調され、送信信号生成部１０４に入力される。送信信号生成部１０４は、変調処理されたページングインジケータ情報をページングインジケータチャネルに多重し、送信信号を生成する。該送信信号は、送受信部１０８を介して送信される。
【００４１】
移動局装置２００から送信されたＰＩＣＨに対する応答のためのＲＡＣＨは、送受信部１０８において受信され、ＲＡＣＨ検出部１０６に入力される。
【００４２】
ＲＡＣＨ検出部１０６は、ＰＩＣＨに対する応答のＲＡＣＨの有無を検出する。また、ＲＡＣＨ検出部１０６は、ＰＩＣＨに対する応答のＲＡＣＨの受信タイミングを検出する。ＰＩＣＨに対する応答のＲＡＣＨの有無を示す情報、該ＲＡＣＨの受信タイミングを示す情報は、ページング情報生成制御部１２２に入力される。
【００４３】
ページング情報生成制御部１２２は、入力されたＰＩＣＨに対する応答のＲＡＣＨの有無を示す情報、該ＲＡＣＨの受信タイミングを示す情報に基づいて、ページング情報を生成するか否かを判断する。ページング情報生成制御部１２２は、ＲＡＣＨの受信タイミングを示す情報に基づいて、ＲＡＣＨを送信した移動局装置の属するグループを特定し、特定されたグループに対応するページング情報を生成する命令をページング情報生成部１１６に入力する。
【００４４】
ページング情報生成部１１６は、呼び出し対象の移動局装置のＩＤを示すページング情報を生成する。例えば、呼び出し対象の移動局装置のＩＤとして、セル固有のＩＤ（Ｃｅｌｌ  ｓｐｅｃｉｆｉｃ  ＩＤ）を生成する。セル固有のＩＤとは、呼び出し対象の移動局装置に対して、回線設定手順および通信開始後に使用する無線リソースの割当てを通知するためのセル内（あるいは複数セル内）で有効な移動局ＩＤ（ＵＥ−ＩＤ）である。
【００４５】
また、ページング情報生成部１１６は、呼び出し対象の移動局装置のＩＤ以外に、Ｌ１／Ｌ２制御チャネルの受信帯域および受信開始タイミングを示す情報を生成するようにしてもよい。Ｌ１／Ｌ２制御チャネルの受信帯域および受信開始タイミングを示す情報により、待受け状態から、通信状態に移行するために必要な制御情報の送信帯域および送信タイミング情報を受信するためのＬ１／Ｌ２制御チャネルの受信帯域および受信開始タイミングを指定する。Ｌ１／Ｌ２制御チャネルでは、データチャネルのマッピングに関する情報が通知される。送信タイミングとして、例えば、図９に示すように、上りリンクの送信タイミングを指定する情報、例えば、既に受信したＰＩＣＨに対する応答のＲＡＣＨの送信タイミングとの差を通知する。このようにすることにより、基地局装置において、異なる移動局装置の送信信号間の受信タイミングを合わせることができる。
【００４６】
このページング情報は、チャネル符号化器１１８において符号化され、変調部１２０において変調され、送信信号生成部１０４に入力される。送信信号生成部１０４は、変調処理されたページング情報をページングチャネルに多重し、送信信号を生成する。該送信信号は、送受信部１０８を介して送信される。
【００４７】
次に、本実施例にかかる移動局装置について、図１０を参照して説明する。
【００４８】
本実施例にかかる移動局装置２００は、送受信部２０２と、ＰＩＣＨ検出部２０４と、ＲＡＣＨ生成部２０６と、チャネル符号化器２０８と、変調部２１０と、送信タイミング制御部２１２と、ＰＣＨ受信部２１４と、ＰＣＨ検出部２１６とを備える。
【００４９】
基地局装置１００から送信されたＰＩＣＨは、送受信部２０２において受信され、ＰＩＣＨ検出部２０４に入力される。
【００５０】
ＰＩＣＨ検出部２０４は、入力されたＰＩＣＨから呼び出し対象のグループＩＤを検出し、自局の属する待ち受けグループに対するページングインジケータの有無を検出する。自局の属するインジケータを検出した場合、該インジケータに対する応答のためのＲＡＣＨを生成する命令をＲＡＣＨ生成部２０６に入力するとともに、ＰＩＣＨに対する応答のためのＲＡＣＨの送信タイミングを示す情報を送信タイミング制御部２１２に入力する。また、ＰＩＣＨ検出部２０４は、入力されたＰＩＣＨからＰＣＨの送信帯域および送信タイミングを指定する制御チャネルに関する情報を検出し、送受信部２０２に入力する。
【００５１】
ＲＡＣＨ生成部２０６は、ＰＩＣＨ検出部２０４からＲＡＣＨを生成する命令が入力された場合、ＰＩＣＨに対する応答であることを示す情報、下りリンクの受信品質（ＣＱＩ）情報を含むランダムアクセスチャネル（ＲＡＣＨ）を生成する。ここで、下りリンクの受信品質情報とは、ＰＣＨの送信におけるリンクアダプテーション（適応変調チャネル符号化、送信電力制御）に反映するための、ラフなＣＱＩ情報である。
【００５２】
ＲＡＣＨ生成部２０６において生成されたランダムアクセスチャネルは、チャネル符号化器２０８において符号化され、変調部２１０において変調され、送信タイミング制御部２１２に入力される。変調処理されたランダムアクセスチャネルは、送信タイミング制御部２１２において、ＰＩＣＨ検出部２０４により入力されたＰＩＣＨに対する応答のためのＲＡＣＨの送信タイミングを示す情報に基づいて、送信タイミングの制御が行われ、送受信部２０２を介して送信される。
【００５３】
送受信部２０２は、ＰＩＣＨ検出部２０４により入力されたＰＣＨの送信帯域および送信タイミングを指定する制御チャネルに関する情報に基づいて基地局装置１００から送信された制御チャネルを受信し、ＰＣＨ受信部２１４に入力する。ＰＣＨ受信部２１４は、制御チャネルに基づいて、ＰＣＨの送信帯域および送信タイミングを指定する。
【００５４】
また、送受信部２０２は、基地局装置１００から送信されたＰＣＨをＰＣＨ受信部２１４に入力する。ＰＣＨ受信部２１４は、指定されたＰＣＨの送信帯域および送信タイミングに基づいて、ＰＣＨを受信する。受信されたＰＣＨは、ＰＣＨ検出部２１６に入力される。
【００５５】
ＰＣＨ検出部２１６は、ＰＣＨから、呼び出し対象の移動局装置のＩＤ、Ｌ１／Ｌ２制御チャネルの受信帯域および受信開始タイミングを検出し、自局に対するページング情報を検出した場合、該ページング情報に対する応答のためのＲＡＣＨを生成する命令をＲＡＣＨ生成部２０６に入力するとともに、ＰＣＨに対する応答のためのＲＡＣＨの送信タイミングを示す情報を送信タイミング制御部２１２に入力する。
【００５６】
ＲＡＣＨ生成部２０６は、ＰＣＨ検出部２１６からＲＡＣＨを生成する命令が入力された場合、ＰＣＨに対する応答であることを示す情報と、下りリンクの受信品質（ＣＱＩ）情報とを生成する。ここで、下りリンクの受信品質情報とは、ＰＩＣＨに対する応答のＲＡＣＨで送るＣＱＩ情報よりもより詳細なＣＱＩ情報である。
【００５７】
ＲＡＣＨ生成部２０６において生成されたランダムアクセスチャネルは、チャネル符号化器２０８において符号化され、変調部２１０において変調され、送信タイミング制御部２１２に入力される。変調処理されたランダムアクセスチャネルは、送信タイミング制御部２１２において、ＰＣＨ検出部２１６により入力されたＰＣＨに対する応答のためのＲＡＣＨの送信タイミングを示す情報に基づいて、送信タイミングの制御が行われ、送受信部２０２を介して送信される。
【００５８】
次に、本実施例にかかる移動通信システムの動作について、図１１を参照して説明する。
【００５９】
基地局装置（Ｎｏｄｅ  Ｂ）１００は、ページングインジケータチャネルを送信する（ステップＳ１１０２）。呼び出しにエリアに属する全基地局装置は、ＰＩＣＨを一斉に送信する。
【００６０】
移動局装置２００は、基地局装置１００から送信されたＰＩＣＨから呼び出し対象のグループＩＤを検出し、自局の属する待ち受けグループに対するページングインジケータの有無を検出する。自局の属するインジケータを検出した場合、該ＰＩＣＨに対する応答であるＲＡＣＨを送信する（ステップＳ１１０４）。
【００６１】
次に、基地局装置１００は、ＰＣＨへの無線リソース割り当てに関する情報を指定する制御チャネルを送信する（ステップＳ１１０６）。
【００６２】
移動局装置２００は、ＰＩＣＨに含まれるＰＣＨの送信帯域および送信タイミングを指定する制御チャネルに関する情報に基づいて、基地局装置１００から送信された制御チャネルを受信する。移動局装置２００は、制御チャネルに基づいて、ＰＣＨの送信帯域および送信タイミングを指定する。
【００６３】
次に、基地局装置１００は、ＰＣＨを送信する（ステップＳ１１０８）。移動局装置２００は、指定したＰＣＨの送信帯域および送信タイミングに基づいて、基地局装置１００により送信されたＰＣＨを受信する。
【００６４】
移動局装置２００は、受信したＰＣＨから、呼び出し対象の移動局装置のＩＤ、Ｌ１／Ｌ２制御チャネルの受信帯域および受信開始タイミングを検出し、自局に対するページング情報を検出した場合、該ページング情報に対する応答のためのＲＡＣＨを送信する（ステップＳ１１１０）。
【００６５】
基地局装置２００は、移動局装置からＰＣＨに対する応答を受けた場合、無線回線設定に必要な情報を、該呼び出し対象の移動局装置に通知する（ステップＳ１１１２）。
【００６６】
呼び出し対象の移動局装置２００は、受信した無線回線の設定に必要な情報に基づいて、無線回線の設定手順を開始する。また、呼び出し対象の移動局装置２００は、この通知に対するＡＣＫを返す（ステップＳ１１１４）。その後、通信が開始される（ステップＳ１１１６）。
【００６７】
上述した実施例において、基地局装置１００は、呼び出しグループの指定時、すなわち移動局装置２００の電源投入時や待受けエリアを跨いだときに、ＲＡＣＨの送信タイミングを指定するが、この指定において、同一呼び出しグループ内をさらに複数のサブグループに分け、サブグループ間で、ＲＡＣＨの送信タイミングをずらすようにしてもよい。
【００６８】
一例として、呼び出し対象の移動局装置が、グループｎのサブグループ１に属する移動局装置である場合について説明する。
【００６９】
図１２に示すように、基地局装置１００は、サブグループ１に対して指定したタイミング、すなわちサブグループ１に対応するタイミングで、ＲＡＣＨを受信した場合ＰＣＨを送信する。一方、図１３に示すように、基地局装置１００は、サブグループ１に対して指定したタイミング以外のタイミング、すなわちサブグループ１に対応するタイミング以外のタイミングで、ＲＡＣＨを受信した場合ＰＣＨを送信しない。
【００７０】
これにより、同一の呼び出しグループに属する移動局装置が同一セルに複数存在した場合に、ＰＩＣＨに対する応答のＲＡＣＨが衝突する確率を低減できる。また、基地局装置１００においては、ＲＡＣＨの受信タイミングによって、何れのサブグループの移動局装置からの応答であるか識別することができる。
【産業上の利用可能性】
【００７１】
本発明にかかる移動局装置および基地局装置並びにページング方法は、無線通信システムに適用できる。
【図面の簡単な説明】
【００７２】
【図１】ページング方法を示すフロー図である。
【図２】ページング方法を示す説明図である。
【図３】ページング方法を示す説明図である。
【図４】本発明の一実施例にかかるページング方法を示す説明図である。
【図５】本発明の一実施例にかかるページング方法を示す説明図である。
【図６】本発明の一実施例にかかる基地局装置を示す部分ブロック図である。
【図７】ＰＩＣＨで送信する情報を示す説明図である。
【図８】ＰＩＣＨに対する応答のためのＲＡＣＨの送信タイミングを示す説明図である。
【図９】ＰＣＨで送信する情報を示す説明図である。
【図１０】本発明の一実施例にかかる移動局装置を示す部分ブロック図である。
【図１１】本発明の一実施例にかかる移動通信システムの動作を示すフロー図である。
【図１２】ＰＩＣＨに対する応答のＲＡＣＨの送信タイミングの指定方法を示す説明図である。
【図１３】ＰＩＣＨに対する応答のＲＡＣＨの送信タイミングの指定方法を示す説明図である。
【符号の説明】
【００７３】
１００  基地局装置
２００  移動局装置
【図１】
0004834471.tif 000002
【図２】
0004834471.tif 000003
【図３】
0004834471.tif 000004
【図４】
0004834471.tif 000005
【図５】
0004834471.tif 000006
【図６】
0004834471.tif 000007
【図７】
0004834471.tif 000008
【図８】
0004834471.tif 000009
【図９】
0004834471.tif 000010
【図１０】
0004834471.tif 000011
【図１１】
0004834471.tif 000012
【図１２】
0004834471.tif 000013
【図１３】
0004834471.tif 000014